(57)【要約】【課題】フィルムのリーダー部をアパーチャーの巻取りスプール室側の端縁に引っかけることなく、巻取りスプール室に確実に安定して案内すること。【解決手段】図に仮想線Ｂで示すように、傾斜したアパーチャー１１の巻取りスプール室側の端縁１１ａに、リーダ部Ｌが差し掛かると、この端縁１１ａは、給送方向に対して傾斜してあるため、リーダー部Ｌは、常に点接触の状態で端縁１１ａ上を滑りながら、巻取りスプール室１３に向けて進行する。従って、リーダー部Ｌは、この端縁１１ａに引っかかることなく、巻取りスプール室１３に向けて確実に安定して案内することができる。【選択図】  図３
2004157183.tif 000002
【特許請求の範囲】
【請求項１】
パトローネから延出しているフィルムのリーダー部を、カメラの露出開口上を通過して外部から接触不可能に配置された巻取りスプール室に給送し、該スプール室内の巻取りスプールに係止させて巻上げ可能にするオートローディング装置を備えたカメラにおいて、
前記露出開口は、前記巻取りスプール室側の端縁が前記給送の方向に対して傾斜して形成してあることを特徴とするオートローディング装置を備えたカメラ。
【請求項２】
遮光性を有するとともに、前記露出開口の前記巻取りスプール室側の端縁近傍の開口内において、前記給送方向に対して実質的に直交するように前記開口内を揺動可能に配置された案内部材をさらに備えることを特徴とする請求項１に記載のオートローディング装置を備えたカメラ。
【請求項３】
前記案内部材は、前記リーダー部が前記露出開口の前記巻取りスプール室側の端縁に到達する以前の状態で、前記露出開口を前記給送方向に対して傾斜して横切ったローディング位置と、
前記リーダー部先端が少なくとも前記露出開口の前記巻取りスプール室側の端縁を越えた以降には、前記露出開口を前記給送方向に対して直角に横切った撮影位置と、の両位置の間で揺動することを特徴とする請求項２に記載のオートローディング装置を備えたカメラ。
【請求項４】
前記フィルムの給送に伴って前記フィルムの側端部が接触することにより前記案内部材を前記ローディング位置と前記撮影位置との間で揺動操作する操作機構が設けてあることを特徴とする請求項３に記載のオートローディング装置を備えたカメラ。
【請求項５】
前記案内部材は、前記ボディに枢支した基端部と、該基端部から前記露出開口を横切ってその反対側まで延在した案内部とを有し、
前記案内部材を、その基端部の廻りに揺動してその案内部を前記撮影位置に位置決めする方向に付勢する付勢手段と、
前記付勢手段に抗して前記案内部材を前記ローディング位置に係止するとともに、前記リーダー部が前記露出開口の前記巻取りスプール室側端縁を超えた時に、前記係止を解除する係止部材と、をさらに備えることを特徴とする請求項４に記載のオートローディング装置を備えたカメラ。
【請求項６】
前記パトローネを収納するパトローネ室の蓋を備えるとともに、該蓋の開動作に伴って、前記案内部材を前記付勢力に抗してローディング位置に移動し、前記案内部材の先端部を前記係止部材に係合させて前記案内部材をローディング位置に保持する移動部材をさらに備えることを特徴とする請求項５に記載のオートローディング装置を備えたカメラ。
【請求項７】
パトローネから延出しているフィルムのリーダー部を、カメラの露出開口上を通過して外部から接触不可能に配置された巻取りスプール室に給送し、該スプール室内の巻取りスプールに係止させて巻上げ可能にするオートローディング装置を備えたカメラにおいて、
前記リーダー部が前記露出開口の前記巻取りスプール室側の端縁に到達する以前の状態で、前記露出開口を前記給送方向に対して傾斜して横切ったローディング位置と、
前記リーダー部先端が少なくとも前記露出開口の巻取りスプール室側の端縁を越えた以降には、前記露出開口を遮らない待機位置と、の両位置の間で揺動する案内部材を備えることを特徴とするオートローディング装置を備えたカメラ。
【発明の詳細な説明】
【０００１】
【発明の属する技術分野】
本発明は、オートローディング装置を備えたカメラに関する。
【０００２】
【従来の技術】
フィルム装填時の煩雑さを回避するため、オートローディング装置を備えたカメラがある。オートローディング装置では、撮影者がフィルムパトローネから延出しているフィルムのリーダー部を更に引き出すことなく、フィルムパトローネをカメラのパトローネ室に装填して裏蓋を閉じると、フィルムのリーダー部は、自動的にアパーチャー（露光開口）の上を通って、外部から接触不可能に配置した巻取りスプール室に給送され、巻取りスプールに自動的に巻上げられて、撮影可能な状態になる。
【０００３】
このようなオートローディング装置では、フィルムは、そのリーダー部がアパーチャーの巻取りスプール室側の端縁を通過する時、この端縁に引っかかり、正常な給送ができなくなるといった虞れがある。
【０００４】
これに対処するため、従来のオートローディング装置では、アパーチャーの巻取りスプール室側の端縁と巻取りスプール室との間に、フィルムのローディング時にリーダー部が当接すると付勢力に抗して巻取りスプール室側に傾倒する一方、リーダ部が巻取りスプールに巻取られた後は付勢力により傾倒から復帰してアパーチャーの巻取りスプール室側の端縁を規定する傾倒板が設けてある（例えば、特許文献１及び２参照。）。
【０００５】
これにより、リーダー部のローディング時には、傾倒板が巻取りスプール室側に傾倒することから、リーダー部は、アパーチャーの巻取りスプール室側の端縁に引っかかることなく、巻取りスプール室に進入することができる。
【０００６】
また、アパーチャーの巻取りスプール室側端縁に、アパーチャー内に一旦落ち込んだリーダー部の中央側の円弧状角部を持ち上げるように案内する案内用面取り部を形成しているものもある（例えば、特許文献３参照。）。
【０００７】
これにより、リーダー部のローディング時には、リーダー部は、その円弧状角部が案内用面取り部により持ち上げるように案内されることから、アパーチャーの巻取りスプール室側端縁に引っかかることなく、巻取りスプール室に進入することができる。
【０００８】
【特許文献１】
米国特許５７７４７５６号公報
【特許文献２】
米国特許５７７４７５７号公報
【特許文献３】
米国特許５９４０６４３号公報（第６図）
【０００９】
【発明が解決しようとする課題】
しかしながら、特許文献１及び２では、レンズシャッターのタイプであるが、フォーカルプレーンシャッターのタイプの場合には、アパーチャーの巻取りスプール室側の端縁と巻取りスプール室の間には、シャッターの駆動機構を収納する必要があることから、上述した傾倒板を設けるための空間的余裕はない。
【００１０】
また、フィルムの巻上げ時に、フィルムのリーダー部が傾倒板を押圧して付勢力に抗して巻取りスプール室側に傾倒した際、フィルムにテンションがかかり、フィルムの先端折れ、割れ等を招く虞れがある。
【００１１】
さらに、特許文献３では、アパーチャーの巻取りスプール室側端縁に、案内用面取り部が形成してあるが、アパーチャーを形成した開口板の厚さは１〜２ｍｍ程度であり、有効な面取り部を形成することは実質的に不可能である。
【００１２】
本発明は、上述したような事情に鑑みてなされたものであって、フィルムのリーダー部をアパーチャーの巻取りスプール室側の端縁に引っかけることなく、巻取りスプール室に確実に安定して案内することができるオートローディング装置を備えたカメラを提供することを目的とする。
【００１３】
【課題を解決するための手段】
上記の目的を達成するため、本発明の請求項１に係るオートローディング装置を備えたカメラは、パトローネから延出しているフィルムのリーダー部を、カメラの露出開口上を通過して外部から接触不可能に配置された巻取りスプール室に給送し、該スプール室内の巻取りスプールに係止させて巻上げ可能にするオートローディング装置を備えたカメラにおいて、
前記露出開口は、前記巻取りスプール室側の端縁が前記給送の方向に対して傾斜して形成してあることを特徴とする。
【００１４】
また、請求項２に係るオートローディング装置を備えたカメラは、請求項１において、遮光性を有するとともに、前記露出開口の前記巻取りスプール室側の端縁近傍の開口内において、前記給送方向に対して実質的に直交するように前記開口内を揺動可能に配置された案内部材をさらに備えることを特徴とする。
【００１５】
さらに、請求項３に係るオートローディング装置を備えたカメラは、請求項２において、前記案内部材は、前記リーダー部が前記露出開口の前記巻取りスプール室側の端縁に到達する以前の状態で、前記露出開口を前記給送方向に対して傾斜して横切ったローディング位置と、
前記リーダー部先端が少なくとも前記露出開口の前記巻取りスプール室側の端縁を越えた以降には、前記露出開口を前記給送方向に対して直角に横切った撮影位置と、の両位置の間で揺動することを特徴とする。
【００１６】
さらに、請求項４に係るオートローディング装置を備えたカメラは、請求項３において、前記フィルムの給送に伴って前記フィルムの側端部が接触することにより前記案内部材を前記ローディング位置と前記撮影位置との間で揺動操作する操作機構が設けてあることを特徴とする。
【００１７】
さらに、請求項５に係るオートローディング装置を備えたカメラは、請求項４において、前記案内部材は、前記ボディに枢支した基端部と、該基端部から前記露出開口を横切ってその反対側まで延在した案内部とを有し、
前記案内部材を、その基端部の廻りに揺動してその案内部を前記撮影位置に位置決めする方向に付勢する付勢手段と、
前記付勢手段に抗して前記案内部材を前記ローディング位置に係止するとともに、前記リーダー部が前記露出開口の前記巻取りスプール室側端縁を超えた時に、前記係止を解除する係止部材と、をさらに備えることを特徴とする。
【００１８】
さらに、請求項６に係るオートローディング装置を備えたカメラは、請求項５において、前記パトローネを収納するパトローネ室の蓋を備えるとともに、該蓋の開動作に伴って、前記案内部材を前記付勢力に抗してローディング位置に移動し、前記案内部材の先端部を前記係止部材に係合させて前記案内部材をローディング位置に保持する移動部材をさらに備えることを特徴とする。
【００１９】
さらに、請求項７に係るオートローディング装置を備えたカメラは、パトローネから延出しているフィルムのリーダー部を、カメラの露出開口上を通過して外部から接触不可能に配置された巻取りスプール室に給送し、該スプール室内の巻取りスプールに係止させて巻上げ可能にするオートローディング装置を備えたカメラにおいて、
前記リーダー部が前記露出開口の前記巻取りスプール室側の端縁に到達する以前の状態で、前記露出開口を前記給送方向に対して傾斜して横切ったローディング位置と、
前記リーダー部先端が少なくとも前記露出開口の巻取りスプール室側の端縁を越えた以降には、前記露出開口を遮らない待機位置と、の両位置の間で揺動する案内部材を備えることを特徴とする。
【００２０】
【発明の実施の形態】
以下、本発明の実施の形態に係るオートローディング装置を備えたカメラを図面を参照しつつ説明する。
【００２１】
図１は、本発明の実施の形態に係るオートローディング装置を備えたカメラを背面から視た斜視図である。図２は、図１に示したカメラの内部を示すためにカメラの外装の一部を切欠いた図である。
【００２２】
図３は、図１に示したカメラのフィルムを給送する部分を示す図であって、パトローネ室にフィルムパトローネを装填した状態の図である。図４は、図１に示したカメラのフィルムを給送する部分を示す図であって、アパーチャーを超えてフィルムを給送した状態の図である。図５は、図１に示したカメラのフィルムを給送する部分を示す図であって、フィルムをフィルムパトローネに巻き戻した状態の図である。
【００２３】
図１及び図２に示すように、本発明に係るカメラは、フィルム装填時の煩雑さを回避するため、オートローディング装置（図示略）を備えている。オートローディング装置（図示略）では、撮影者がフィルムパトローネ３から延出しているフィルムＦのリーダー部Ｌを更に引き出すことなく、フィルムパトローネ３をカメラのパトローネ室１に装填して裏蓋２を閉じると、フィルムＦのリーダー部Ｌは、自動的にアパーチャー１１上を通って、外部から接触不可能に配置した巻取りスプール室１３に給送され、巻取りスプール４に取られて、撮影可能な状態になる。
【００２４】
パトローネ室１の側方に設けられた枢軸２ａ回りに揺動可能に設けた裏蓋２には、係止部５が立設してある。カメラの背面側の上部には、裏蓋開閉部材６が側方にスライド可能に設けてある。この裏蓋開閉部材６の一端部には、撮影者のための操作部７が形成してあると共に、裏蓋２の係止部５に係止して裏蓋２を閉じた状態で保持する一方、撮影者によりスライド操作されると、係止部５との係止を解除して裏蓋２を開放可能とするための係止部８が形成してある。また、裏蓋開閉部材６の他端部には、カメラの前方側に、後述する案内部材２０を押圧するための突起部９が設けてある。
【００２５】
ボディ１０には、撮影露光のためのアパーチャー１１が形成してある。本実施の形態では、このアパーチャー１１の巻取りスプール室側の端縁１１ａは、フィルムＦの給送方向に対して傾斜して形成してあり、アパーチャー１１の全体形状は、台形形状になっている。
【００２６】
アパーチャー１１の前側（撮影レンズ側）には、フォーカルプレーンシャッターのタイプのシャッターユニット１２が設けてあり、アパーチャー１１の巻取りスプール室側の端縁１１ａと巻取りスプール室１３との間には、シャッターユニット１２の駆動機構が収納してある。
【００２７】
アパーチャー１１の裏面の上下位置には、フィルムＦの給送を規制して案内するための一対の案内レール１４，１４が設けてあり、これらの内側には、フィルムＦの面位置を規定するための一対のレール１５，１５が設けてある。
【００２８】
ボディ１０のアパーチャー１１とシャッターユニット１２との間には、案内部材２０が揺動可能に設けてあり、ボディ１０の上部からアパーチャー１１を横切ってボディ１０の下部に延在してある。
【００２９】
案内部材２０は、図３に示す状態で、そのパトローネ室側端縁２０ａがフィルムＦの先端部を滑らせる働きをすると共に、図４に示す状態で、アパーチャー１１の画角を長方形に規定する働きをするように構成してあり、また、遮光性を有する素材から形成してある。
【００３０】
案内部材２０は、その基端部がボディ１０の上部に枢支してあり、図２乃至図５において（カメラ背面側から視て）反時計回り方向にコイルスプリング２１により付勢してある。
【００３１】
ボディ１０の下部には、案内部材２０の揺動端部２０ｂを係止するための「へ」字状の係止部材２２が枢軸２３の回りに揺動可能に設けてある。この係止部材２２は、図２乃至図５において（カメラ背面側から視て）反時計回り方向にコイルスプリング２４により付勢してある。
【００３２】
係止部材２２は、図３に示すように、その先端部は、案内部材２０の揺動端部２０ｂに係止して、案内部材２０をフィルムの給送方向に対して傾斜した状態で保持するように構成してあると共に、図４に示すように、その基端部に設けられたローラ２５にフィルムＦのリーダー部Ｌが当接してこれを押圧すると、係止部材２２をコイルスプリング２４の付勢力に抗して時計回り方向に回動する。
【００３３】
これにより、案内部材２０は、図３に示すように、フィルムＦのリーダー部Ｌがアパーチャー１１の巻取りスプール室側の端縁１１ａに到達する以前の状態で、アパーチャー１１を給送方向に対して傾斜して横切ったローディング位置と、図４に示すように、リーダー部Ｌが少なくともアパーチャー１１の巻取りスプール室側の端縁１１ａを越えた以降には、アパーチャー１１を給送方向に対して直角に横切った撮影位置と、の両位置の間で揺動するようになっている。
【００３４】
ローディング位置においては、図３に示すように、案内部材２０は、コイルスプリング２１の付勢力に抗して図の左方へ揺動されて、その揺動端部２０ｂが係止部材２２の先端部に係止された状態にある。
【００３５】
撮影位置においては、図４に示すように、案内部材２０は、コイルスプリング２１の付勢力により図の右方へ揺動した位置で、その揺動端部が枢軸２３に当接して位置決めされた状態にある。
【００３６】
以上のように構成したオートローディング装置を備えたカメラは、フィルムパトローネ３を装填した際、以下のように作用する。
【００３７】
図３に示すように、パトローネ室１に、フィルムパトローネ３を装填した際には、フィルムＦのリーダー部Ｌは、アパーチャー１１を部分的に塞いだ状態にある。裏蓋２を閉じると、リーダー部Ｌは、フィルム給送機構（図示略）により給送される。
【００３８】
この時、案内部材２０は、アパーチャー１１を給送方向に対して傾斜して横切ったローディング位置であって、コイルスプリング２１の付勢力に抗して揺動した位置で、その揺動端部２０ｂが係止部材２２の先端部に係止された状態にある。
【００３９】
図３に仮想線Ａで示すように、傾斜したローディング位置にある案内部材２０に、フィルムＦのリーダ部Ｌが差し掛かると、案内部材２０のパトローネ室側端縁２０ａは、給送方向に対して傾斜してあるため、リーダー部Ｌの先端縁は、常に点接触の状態で案内部材２０のパトローネ室側端縁２０ａ上を滑りながら、巻取りスプール室１３に向けて進行する。従って、リーダー部Ｌは、この端縁２０ａに引っかかることなく、巻取りスプール室１３に向けて確実に安定して案内することができる。
【００４０】
図３に仮想線Ｂで示すように、傾斜したアパーチャー１１の巻取りスプール室側の端縁１１ａに、リーダ部Ｌが差し掛かると、この端縁１１ａは、給送方向に対して傾斜してあるため、リーダー部Ｌは、案内部材２０と同様に常に点接触の状態で端縁１１ａ上を滑りながら、巻取りスプール室１３に向けて進行する。従って、リーダー部Ｌは、この端縁１１ａやシャッターユニット１２等に引っかかることなく、巻取りスプール室１３に向けて確実に安定して案内することができる。
【００４１】
図４に示すように、フィルムＦのリーダー部Ｌが係止部材２２のローラ２５を押圧して巻取りスプール室１３に向けて進行すると、係止部材２２はコイルスプリング２４の付勢力に抗して時計回り方向に回動して、案内部材２０の揺動端部２０ｂとの係止を解除する。
【００４２】
これにより、案内部材２０は、コイルスプリング２１の付勢力により図の右方へ揺動し、その先端部が枢軸２３に当接して、アパーチャー１１を給送方向に対して直角に横切った撮影位置に位置決めする。
【００４３】
従って、アパーチャー１１は、その巻取りスプール室側の端縁１１ａが給送方向に対して傾斜して形成してあるため、全体的な画角が台形形状になっているが、案内部材２０は、遮光性を有していると共に、撮影時には、アパーチャー１１を給送方向に対して直角に横切った撮影位置に位置決めされることにより、通常のアパーチャーと同様に、画角を長方形に規定して、画角を補正することができる。
【００４４】
フィルムＦをフィルムパトローネ３に巻き戻した後は図５に示すように、撮影者が裏蓋開閉部材６の操作部７を矢印方向にスライドすると、裏蓋開閉部材６の突起部９が案内部材２０をコイルスプリング２１の付勢力に抗して時計回り方向に揺動させる。
【００４５】
この時、フィルムによるローラ２５の押圧がなくなっているため係止部材２２は、コイルスプリング２４の付勢力により反時計回り方向に揺動して図４に示す状態から図５に示す状態に戻っており、案内部材２０は、その揺動端部２０ｂが係止部材２２の先端部に係止されて、アパーチャー１１を給送方向に対して傾斜して横切ったローディング位置に保持される。
【００４６】
従って、フィルムＦを巻き戻したフィルムパトローネ３を取り出した後、次にフィルムパトローネ３を装填すると、上述したような一連の動作により、リーダー部Ｌの引っかかりなく、フィルムＦをオートローディングすることができる。
【００４７】
本実施の形態では、上述したように、傾斜したローディング位置にある案内部材２０に、フィルムＦのリーダ部Ｌが差し掛かると、案内部材２０のパトローネ室側端縁２０ａは、給送方向に対して傾斜してあるため、リーダー部Ｌは、常に点接触の状態で案内部材２０のパトローネ室側端縁２０ａ上を滑りながら、巻取りスプール室１３に向けて進行する。そのため、アパーチャー１１とシャッターユニット１２との間にスペースが無いカメラにおいて、フィルムＦのリーダー部Ｌの引っかかりを防ぐことができ、また、フィルムＦに余計な力をかけることもなくなる。さらに、シャッターユニット１２にフィルムＦが引っかかることを防止して、シャッターの破損をも防ぐことができる。
【００４８】
また、本実施の形態では、コイルスプリング２１、係止部材２２、裏蓋開閉部材６等の極めて簡易な揺動操作機構により、フィルムＦの給送と案内部材１０の揺動を連動することができ、これにより、フィルムＦのリーダー部Ｌの引っかかり防止と上記の画角補正とを実現することができる。
【００４９】
なお、本発明は、上述した実施の形態に限定されず、種々変形可能である。
【００５０】
例えば、上述した実施の形態では、案内部材２０は、傾斜したローディング位置と直角の撮影位置との間で揺動するように構成しているが、傾斜したローディング位置と、アパーチャー１１を遮らない待機位置との間で揺動するように構成してあってもよい。この場合には、アパーチャー１１の画角は、通常の長方形に形成してあり、アパーチャー１１とシャッターユニット１２との間にスペースが無いカメラにおいて、フィルムＦのリーダー部Ｌの引っかかりを防ぐことができ、また、フィルムＦに余計な力をかけることもなくなる。さらに、シャッターユニット１２にフィルムＦが引っかかることを防止して、シャッターの破損をも防ぐことができる。
【００５１】
【発明の効果】
以上説明したように、請求項１によれば、露出開口は、巻取りスプール室側の端縁が給送の方向に対して傾斜して形成してあるため、傾斜した露出開口の巻取りスプール室側の端縁に、フィルムのリーダ部が差し掛かると、リーダー部は、常に点接触の状態で端縁上を滑りながら、巻取りスプール室に向けて進行する。従って、リーダー部は、露出開口の巻取りスプール室側の端縁に引っかかることなく、巻取りスプール室に向けて確実に安定して案内することができる。
【００５２】
また、上述した請求項１では、露出開口は、巻取りスプール室側の端縁が給送方向に対して傾斜して形成してあるため、画角が台形形状になるが、請求項２によれば、案内部材が遮光性を有するとともに、露出開口の巻取りスプール室側の端縁近傍の開口内において、給送方向に対して実質的に直交するように開口内を揺動可能に配置されているため、撮影時には、通常の露出開口と同様に、画角を長方形に規定して、画角を補正することができる。
【００５３】
さらに、請求項３によれば、案内部材は、リーダー部が露出開口の巻取りスプール室側の端縁に到達する以前の状態で、露出開口を給送方向に対して傾斜して横切ったローディング位置と、リーダー部先端が少なくとも露出開口の巻取りスプール室側の端縁を越えた以降には、露出開口を給送方向に対して直角に横切った撮影位置と、の両位置の間で揺動するように構成してあるため、傾斜したローディング位置にある案内部材に、フィルムのリーダ部が差し掛かると、リーダー部は、常に点接触の状態で案内部材の端縁上を滑りながら、巻取りスプール室に向けて進行する。従って、リーダー部は、案内部材の端縁に引っかかることなく、巻取りスプール室に向けて確実に安定して案内することができる。また、案内部材は、遮光性を有していると共に、撮影時には、露出開口を給送方向に対して直角に横切った撮影位置を取るため、通常の露出開口と同様に、画角を長方形に規定して、画角を補正することができる。
【００５４】
さらに、請求項４によれば、前記フィルムの側端部に、前記フィルムの給送に連動して前記案内部材を前記ローディング位置と前記撮影位置との間で揺動操作する操作機構が設けてあるため、極めて簡易な操作機構により、フィルムの給送と案内部材の揺動を連動して、フィルムのリーダー部の引っかかり防止と上記の画角補正とを実現することができる。
【００５５】
さらに、請求項５によれば、案内部材は、ボディに枢支した基端部と、該基端部から露出開口を横切ってその反対側まで延在した案内部とを有し、案内部材を、その基端部の廻りに揺動してその案内部を撮影位置に位置決めする方向に付勢する付勢手段と、付勢手段に抗して案内部材をローディング位置に係止するとともに、リーダー部が露出開口の巻取りスプール室側端縁を超えた時に、係止を解除する係止部材と、をさらに備えている。そのため、極めて簡易な構造により、フィルムの給送と案内部材の揺動を連動して、フィルムのリーダー部の引っかかり防止と上記の画角補正とを実現することができる。
【００５６】
さらに、請求項６によれば、パトローネの蓋の開動作に伴って、案内部材を付勢力に抗してローディング位置に移動し、案内部材の先端部を係止部材に係合させて案内部材をローディング位置に保持する移動部材をさらに備えている。そのため、フィルムをパトローネに巻き戻した後、撮影者が蓋の開動作に伴って、案内部材は、露出開口を給送方向に対して傾斜して横切ったローディング位置に保持される。従って、フィルムを巻き戻したパトローネを取り出した後、次にパトローネを装填すると、上述したような一連の動作によりフィルムをオートローディングすることができる。
【００５７】
さらに、請求項７によれば、リーダー部が露出開口の巻取りスプール室側の端縁に到達する以前の状態で、露出開口を給送方向に対して傾斜して横切ったローディング位置と、リーダー部先端が少なくとも露出開口の巻取りスプール室側の端縁を越えた以降には、露出開口を遮らない待機位置と、の両位置の間で揺動する案内部材を備えている。そのため、この場合には、露出開口の画角は、通常の長方形であり、露出開口とシャッターユニットとの間にスペースが無いカメラにおいて、フィルムのリーダー部の引っかかりを防ぐことができ、また、フィルムに余計な力をかけることもなくなる。さらに、シャッターユニットのシャッター羽をかしめる軸にフィルムが引っかかることを防止して、シャッターの破損をも防ぐことができる。
【図面の簡単な説明】
【図１】本発明の実施の形態に係るオートローディング装置を備えたカメラを背面から視た斜視図である。
【図２】図１に示したカメラの内部を示すためにカメラの外装の、一部を切欠いた図である。
【図３】図１に示したカメラのフィルムを給送する部分を示す図であって、パトローネ室にフィルムパトローネを装填した状態の図である。
【図４】図１に示したカメラのフィルムを給送する部分を示す図であって、アパーチャーを超えてフィルムを給送した状態の図である。
【図５】図１に示したカメラのフィルムを給送する部分を示す図であって、フィルムをフィルムパトローネに巻き戻した状態の図である。
【符号の説明】
１  パトローネ室
２  裏蓋
２ａ  枢軸
３  フィルムパトローネ
４  巻取りスプール
５  係止部
６  裏蓋開閉部材（移動部材）
７  操作部
８  係止部
９  突起部
１０  ボディ
１１  アパーチャー（露出開口）
１１ａ  巻取りスプール室側端縁
１２  シャッターユニット
１３  巻取りスプール室
１４  レール
１５  レール
２０  案内部材
２０ａ  パトローネ室側端縁
２０ｂ  切欠き部
２１  コイルスプリング
２２  係止部材
２３  枢軸
２４  コイルスプリング
２５  ローラ
Ｆ  フィルム
Ｌ  リーダー部
【図１】
2004157183.tif 000003
【図２】
2004157183.tif 000004
【図３】
2004157183.tif 000005
【図４】
2004157183.tif 000006
【図５】
2004157183.tif 000007